(57)【要約】      （修正有）【課題】大便器等からの横枝管を接続しても、対向する他の横枝管に詰まりなどの問題が生じにくく、かつ、正面視における幅方向寸法を短くして、パイプシャフトにコンパクトに収めることのできる配管部材を提供する。【解決手段】排水の集合用の配管部材１０は、内壁面に開口する一対の排水導入口１６０が対向して形成された管本体部１２０と、一対の排水導入口１６０から突設された一対の継手管部１４０とを備えており、一対の継手管部１４０の先端部には、一対の横枝管１８０が互いに平行に接続される横枝管接続部２４０が形成されており、排水導入口１６０の対向方向Ｌ１は、横枝管１８０の接続方向Ｌ２に対して非平行に設定されている。【選択図】図４
2014080849.tif 000002
【特許請求の範囲】
【請求項１】
上下方向に配設された排水縦管に接続される配管部材であって、
前記上下方向に延在する管本体部と、
前記管本体部の対向する内壁面それぞれに開口する一対の排水導入口と、
前記一対の排水導入口の一方に連通する一方の継手管部及び他方に連通する他方の継手管部からなる一対の継手管部と、
前記一方の継手管部の開口端に設けられた一方の横枝管接続部及び前記他方の継手管部の開口端に設けられた他方の横枝管接続部と、を含み、
前記管本体部の中心軸の方向から見た平面視において、前記一対の排水導入口の開口中心同士を結ぶ直線が、前記一方の継手管部の開口端の径方向に垂直な直線と前記他方の継手管部の開口端の径方向に垂直な直線とのいずれにも交差するように、前記一対の排水導入口及び前記一対の継手管部が設けられている、配管部材。
【請求項２】
前記一対の排水導入口は、前記平面視において、前記中心軸に対し互いに点対称となるように位置しており、
前記一対の継手管部それぞれの開口端の径方向に垂直な直線の方向は互いに平行である、請求項１に記載の配管部材。
【請求項３】
前記一方の継手管部の開口端中心及び前記他方の継手管部の開口端中心を結ぶ直線と、前記開口端の径方向に垂直な直線とが、前記平面視において一直線となるように、前記一対の継手管部が配置されている、請求項２に記載の配管部材。
【請求項４】
前記一対の継手管部それぞれの内壁は、前記継手管部の開口端を前記開口端の径方向に垂直な方向へ投影した場合に前記開口端の投影を遮るように設けられた傾斜面を有し、
前記一対の傾斜面は、前記平面視において、前記管本体部の中心軸に対して互いに点対称となるように位置している、請求項２または３に記載の配管部材。
【請求項５】
前記一方の排水導入口から前記他方の排水導入口に向かう排水流を規制する制流面及び前記管本体部内部へ張出する張出し面の少なくとも一方を有する制流リブが、前記管本体部の内壁面に突設されている、請求項１から４のいずれか１項に記載の配管部材。
【請求項６】
前記制流リブは、前記制流面と前記張出し面とが前記平面視において対向する断面矩形状である、請求項５に記載の配管部材。
【請求項７】
前記制流リブは、前記制流面と前記張出し面とが前記平面視において非平行の断面山形状である、請求項５に記載の配管部材。
【請求項８】
前記平面視において、前記排水導入口の端縁及び前記中心軸を結ぶ直線と、前記張出し面の前記内壁側の基端及び前記中心軸を結ぶ直線とのなす角度が、６０度以下である、請求項５から７のいずれか１項に記載の配管部材。
【請求項９】
前記平面視において、前記張出し面の前記内壁側の基端及び前記中心軸を結ぶ直線と、前記制流面の前記内壁側の基端及び前記中心軸を結ぶ直線とのなす角度が、１０度以上９０度以下である、請求項７又は８に記載の配管部材。
【請求項１０】
前記一方の排水導入口を前記一方の継手管部の開口端の径方向に垂直な方向に投影した場合、前記一方の排水導入口の投影が前記他方の排水導入口に重ならないように、前記一対の排水導入口が配置されている、請求項１から９のいずれか１項に記載の配管部材。
【請求項１１】
前記一方の排水導入口を前記一方の継手管部の開口端の径方向に垂直な方向に投影した場合、前記一方の排水導入口の投影が前記他方の排水導入口に一部重なるように、前記一対の排水導入口が形成されている、請求項７から９のいずれか１項に記載の配管部材。
【請求項１２】
前記制流リブの前記制流面と前記張出し面との交差稜の角度が鋭角である、請求項１１に記載の配管部材。
【請求項１３】
前記平面視において、前記交差稜が、少なくとも、前記継手管部の開口中心及び前記中心軸を結ぶ直線まで延出している、請求項１２に記載の配管部材。
【請求項１４】
前記管本体部の内壁面において、前記制流リブの上流側に、前記一方の排水導入口から前記他方の排水導入口に向かう排水流を補助的に規制する補助制流面及び前記管本体部内部へ張出する張出し面の少なくとも一方を有する補助リブがさらに突設されている、請求項５から１３のいずれか１項に記載の配管部材。
【請求項１５】
前記平面視において、前記排水導入口の端縁及び前記中心軸を結ぶ直線と、前記補助リブの前記張出し面の前記内壁面側の基端及び前記中心軸を結ぶ直線とのなす角度が、９０度以下である、請求項１４に記載の配管部材。
【請求項１６】
前記補助リブは、前記制流面と前記張出し面とが前記平面視において対向する断面矩形状である、請求項１４または１５に記載の配管部材。
【請求項１７】
請求項１から１６のいずれか１項に記載の配管部材を含む、建築物の配管システム。
【発明の詳細な説明】
【技術分野】
【０００１】
本発明は、複数の水まわり器具からの排水をまとめて通流させる配管システムに使用される、配管部材（排水用集合管継手）に関する。
【背景技術】
【０００２】
マンション等の集合住宅に代表される、複数階を有する建築物では、上階から下階へ各階を貫いて排水縦管が配設されている。この排水縦管に対して、各階における複数の水まわり器具（洗面所、洗濯場、浴槽、台所、便所等）からの横枝管が集合して接続されることにより、その建築物の配管システムが構成されている。
【０００３】
この配管システムには、単管式システムおよび二管式システム等がある。単管式システムは通気用の縦管を設けず、一本の排水縦管で排水と通気とを兼ねるシステムである。単管システムは、配置スペースをコンパクトにできるとともに、施工の手間が少なくなるという利点があり、近年では、マンションあるいはホテル等の建築物における主要なシステムになっている。
【０００４】
この排水縦管は、特開２００１−３４１７号公報（特許文献１）に開示されているように、建築物の内部を上下方向に貫通する空洞柱状のパイプシャフト内に収容されており、各水まわり器具からの横枝管は、このパイプシャフト内で排水縦管に接続される。
【０００５】
排水縦管における、各横枝管の接続位置には、横枝管が接続される配管部材が配設されている。このような配管部材は、例えば特開２００４−８４３９４号公報（特許文献２）に開示されている。
【先行技術文献】
【特許文献】
【０００６】
【特許文献１】特開２００１−３４１７号公報
【特許文献２】特開２００４−８４３９４号公報
【発明の概要】
【発明が解決しようとする課題】
【０００７】
一般的に、同じ階にある、各水まわり器具から排水縦管に向かう各横枝管は、当該階の床レベル、あるいは床下レベルに配設されている。つまり、高さ方向の横枝管の配置の自由度がほとんど無い。このため、各横枝管は、ほぼ同じ高さで排水縦管に接続される。例えば、排水縦管に対して、一対の横枝管の接続方向が互いに１８０°をなすように接続される場合、例えば大便器から、勢いが強い水洗時の水流に乗って、一方の横枝管内を流れてくる汚物等が排水縦管に到達した後、慣性力によって他方の横枝管内に逆流することがある。
【０００８】
各横枝管が、配管部材を介して排水縦管に接続されている場合、排水は、横枝管内を、配管部材へ向かって通流する。横枝管は、配管部材の幅に比べてはるかに長い。そのため、排水は、通流による慣性力により、配管部材内に導入された後も、横枝管の接続方向に直進しようとする。特に、大便器系統の排水（汚水）は勢いが大きく、しかも固形物（汚物）が重いため、配管部材内で大きく落下することなく対向方向へ直進しやすい。
以上のことが、横枝管の詰まりおよび異臭の発生原因となっていた。
【０００９】
このような問題を回避するため、特許文献２の配管部材では、エルボを使用している。具体的には、大便器からの排水が配管部材の管本体に流入する方向と、エルボを介して他の水まわり器具からの排水が当該管本体に流入する方向とが互いに直交するように配管部材を構成することにより、上述の問題を回避している。
【００１０】
しかしながら、特許文献２の配管部材では、エルボを使用している分だけ、配管部材の正面視における幅方向寸法が長くなる。一方、配管部材が配設されるパイプシャフトは、各階のスペース効率を最大限に高めるためにコンパクトに設計されている。このため、エルボを使用した配管部材がパイプシャフトに収まらないという別の問題があった。
【００１１】
本発明は、このような従来技術の問題点に鑑みて開発されたものである。それゆえに本発明の主たる課題は、大便器等からの横枝管を接続しても、これに対向する他の横枝管に詰まりなどの問題が生じにくく、かつ、正面視における幅方向寸法を短くし、パイプシャフトに対してコンパクトに収めることのできる配管部材を提供することにある。
【課題を解決するための手段】
【００１２】
（１）
一局面に従う配管部材は、上下方向に配設された排水縦管に接続されるものである。本発明の配管部材は、上下方向に延在する管本体部と、管本体部の対向する内壁面それぞれに開口する一対の排水導入口と、一対の排水導入口の一方に連通する一方の継手管部及び他方に連通する他方の継手管部からなる一対の継手管部と、一方の継手管部の開口端に設けられた一方の横枝管接続部及び他方の継手管部の開口端に設けられた他方の横枝管接続部とを含む。さらに、管本体部の中心軸の方向から見た平面視において、一対の排水導入口の開口中心同士を結ぶ直線が、一方の継手管部の開口端における径方向に垂直な直線と他方の継手管部の開口端における径方向に垂直な直線とのいずれにも交差するように、一対の排水導入口及び一対の継手管部が設けられている。
【００１３】
すなわち、一局面に従う配管部材は、上下方向に延び、側方の内壁面に開口する一対の排水導入口が対向して形成された管本体部と、一対の排水導入口から突設された一対の継手管部とを備えており、一対の継手管部の開口端には、一対の横枝管が互いに平行に接続される横枝管接続部が形成されており、一対の排水導入口の対向方向は、横枝管の接続方向に対して非平行である。
【００１４】
ここで、「排水導入口」は、配管部材に接続された横枝管から配管部材の継手管部に流入した排水を、管本体部内に導入する機能を有するものであり、管本体部において、継手管部との境界に設けられた開口部である。
「横枝管接続部」は、継手管部に横枝管を接続する機能を有するものであり、継手管部の一部をなし且つ継手管部の開口端を含む構造である。
なお、給排水に係る建築業界においては、洗面系統又は風呂系統等の排水を「雑排水」と呼称し、便器系統を「汚水」と呼称する場合がある。本発明において、「排水」は、上記「雑排水」及び「汚水」の両方を含む。それらに加え、排水は「雨水」も含む。
【００１５】
本発明の配管部材においては、一対の排水導入口の開口中心同士を結ぶ直線が、継手管部の開口端の径方向に垂直な直線と交差するように、一対の排水導入口及び一対の継手管部が設けられている。これにより、一方の排水導入口から導入された排水の少なくとも一部は、他方の排水導入口から外れることになる。したがって、一方の横枝管から他方の横枝管に流入する排水の量を減少させることができる。
【００１６】
また、本発明の配管部材は、正面視における幅寸法を長くし過ぎないことができる。すなわち、本発明の配管部材は、パイプシャフトに対してコンパクトに収められることができる。例えば、上述した、従来のエルボ付き配管部材のように、一方の横枝管を管本体部の中心から大きく離して接続する必要がなくなる。
【００１７】
（２）
一対の排水導入口は、平面視において、管本体部の中心軸に対し互いに点対称となるように位置していてよく、且つ、一対の継手管部それぞれの開口端の径方向に垂直な直線の方向は互いに平行であってよい。
このように、従来的に一方の横枝管から他方の横枝管に最も流入しやすい一対の排水導入口の位置関係が許容される。
【００１８】
（３）
一方の継手管部の開口端中心及び他方の継手管部の開口端中心を結ぶ直線と、開口端の径方向に垂直な直線とが、平面視において一直線となるように、一対の継手管部が配置されてよい。
これによって、一方及び他方の横枝管接続部に接続されるそれぞれの横枝管の中心軸が平面視において一致するため、一方の横枝管と他方の横枝管とが平面視において一直線となるように配置することができる。
【００１９】
（４）
また、一対の継手管部それぞれの内壁は、継手管部の開口端をその径方向に垂直な方向へ投影した場合に開口端の投影を遮るように設けられた傾斜面を有してよい。この場合、一対の傾斜面は、平面視において、管本体部の中心軸に対して互いに点対称となるように位置する。
【００２０】
すなわち、一対の継手管部の内側に、管本体部の内面に沿う方向に傾斜する傾斜面をそれぞれ設け、これら一対の傾斜面を、平面視において、管本体部の中心軸を中心として互いに点対称となる位置に配置してもよい。
【００２１】
一方の排水導入口は、他方の継手管部の開口端中心を通り且つその径方向に垂直な直線に対し、他方の排水導入口が形成されている側とは反対側にずれた位置に形成されている。他方の継手管部に流れ込んできた排水の内、傾斜面に衝突しないものは、おおよそ、開口端の径方向に垂直な方向に進む傾向にある。また、傾斜面に衝突したものは、一方の排水導入口から離れる方向に進む傾向にある。したがって、継手管部に流れ込んできた排水は、開口端の径方向に垂直な方向から対向する排水導入口の位置とは反対側にずれ、管本体部の内面に沿った周方向の流れ（旋回流）となって管本体部を進む。これにより、一方の横枝管から他方の横枝管への排水の流入を効果的に回避することができる。
なお、本明細書において「衝突」とは、排水の流れが変わる程度の力で、排水が面に突き当ることをいう。
【００２２】
（５）
管本体部の内壁面に、一方の排水導入口から他方の排水導入口に向かう排水流を規制するための制流リブを突設してもよい。制流リブは、一方の排水導入口から他方の排水導入口に向かう排水流を規制する制流面、及び管本体部内部へ張出する張出し面の少なくとも一方を有する。
【００２３】
制流リブが有する制流面は、一方の排水導入口から導入された排水を衝突させることによって、排水流の方向を変更することができる。このような制流リブを設けることにより、一方の排水導入口から導入された排水が他方の排水導入口から横枝管に流入するおそれをさらに低減することができる。
【００２４】
（６）
制流リブの形状は、断面矩形状であってよい。矩形状リブにおいては、制流面と張出し面とが平面視において対向する。矩形状リブの制流面は、平面視において、継手管部の開口端の径方向に対して任意の角度をとり得る。たとえば、制流面は、継手管部の開口端の径方向に垂直な方向に対して０度以上９０度以下となるように設けられてよい。
【００２５】
矩形状リブは、一方の排水導入口からの排水を制流面に衝突させて、排水流の方向を切り返す。これによって、他方の排水導入口から横枝管への排水の流入を効率よく遮ることができる。
【００２６】
（７）
制流リブの形状は、断面山形状であってよい。山形状リブは、制流面と張出し面とが平面視において非平行であるため、両面の交差稜は一定の角度をなす。山形状リブは、平面視において、制流面が、継手管部の開口端の径方向に垂直な方向に対し直角になるように設けられてよい。
【００２７】
山形状リブは、一方の排水導入口から導入された排水を、他方の排水導入口から離れた位置（すなわち、他方の排水導入口から、上述の横枝管の接続方向に、山形状リブの張出し量だけ離れた位置）で制流面に衝突させることにより、当該離れた位置で排水流の方向を変更する。これによって、他方の排水導入口から横枝管への流入を効率よく遮ることができる。
【００２８】
（８）
制流リブが突設される位置は、平面視において、排水導入口の端縁及び管本体部中心軸を結ぶ直線と、張出し面の管本体内壁側の基端及び管本体部中心軸を結ぶ直線とのなす角度が、６０度以下となる位置であってよい。
【００２９】
このように、排水導入口の端縁又はその付近の位置に制流リブが設けられることによって、一方の排水導入口から導入された排水が他方の排水導入口から横枝管に流入するおそれをさらに低減することができる。
【００３０】
（９）
制流リブの張出しの程度は、平面視において、張出し面の管本体部内壁側の基端及び管本体部中心軸を結ぶ直線と、制流面の管本体部内壁側の基端及び管本体部中心軸を結ぶ直線とのなす角度が、１０度以上９０度以下となる程度であってよい。
【００３１】
このように、特定の張出し量を有する制流リブによって、管本体部軸方向上方からの通流と横枝管からの通流との干渉を防止しつつ、一方の排水導入口から導入された排水が他方の排水導入口から横枝管に流入するおそれをさらに低減することができる。
【００３２】
（１０）
さらに、制流リブの有無に関係なく、一方の排水導入口を一方の継手管部開口端の径方向に垂直な方向に投影した場合に、一方の排水導入口の投影が他方の排水導入口に重ならないように、一対の排水導入口が配置されてよい。
【００３３】
一対の排水導入口をこのように配置することにより、一方の排水導入口から管本体部に導入された排水が他方の排水導入口に入ることを効果的に回避することができる。
【００３４】
（１１）
制流リブを設ける態様においては、一方の排水導入口を一方の継手管部の開口端の径方向に垂直な方向に投影した場合に、一方の排水導入口の投影が他方の排水導入口に一部重なるように、一対の排水導入口を形成してもよい。
【００３５】
このような排水導入口の位置関係は、従来的には、上記（１０）の態様における排水導入口の位置関係に比べて一方の排水導入口に導入された排水が他方の排水導入口に入る可能性が高まることに影響するが、制流リブを設けることで、その影響を緩和することができる。
さらに、排水導入口をこのような位置関係にすることによって、パイプシャフトに対して配管部品をよりコンパクトに収めることができる。
【００３６】
（１２）
一対の排水導入口の位置関係を上記（１１）のようにしたことに伴い、制流リブの制流面と張出し面との交差稜の角度が鋭角であってよい。
これによって、一方の排水導入口から導入された排水が他方の排水導入口から横枝管に流入するおそれをさらに低減することができる。
【００３７】
（１３）
さらに、平面視において、交差稜が少なくとも継手管部の開口中心及び中心軸を結ぶ直線まで延出してよい。
これによって、一方の排水導入口から管本体部に流入した排水が、他方の排水導入口から横枝管に侵入することを効果的に回避することができる。
【００３８】
（１４）
さらに、管本体部の内壁面において、制流リブの上流側に、補助リブがさらに突設されていてよい。補助リブは、一方の排水導入口から他方の排水導入口に向かう排水流を補助的に規制する補助制流面と、管本体部内部へ張出する張出し面との少なくとも一方を有する。
これによって、一方の排水導入口から他方の排水導入口に向かう排水流を、上流側で補助リブによって予め補助的に規制し、その後さらに制流リブで規制するため、一方の排水導入口から管本体部に流入した排水が、他方の排水導入口から横枝管に進入することをより効果的に回避することができる。
【００３９】
（１５）
補助リブは、平面視において、排水導入口の端縁及び中心軸を結ぶ直線と、補助リブの張出し面の内壁面側の基端及び中心軸を結ぶ直線とのなす角度が、９０度以下となるように形成されてよい。
これによって、制流リブと補助リブとをそれぞれ効率よく機能させることができるため、一方の排水導入口から管本体部に流入した排水が、他方の排水導入口から横枝管に進入することをより効果的に回避することができる。
【００４０】
（１６）
補助リブは、制流面と張出し面とが平面視において対向する断面矩形状であってよい。
これによって、管本体部軸方向上方からの通流との干渉を抑えつつ、制流補助機能を確保することができる。従って、管本体部軸方向上方からの通流との干渉を抑えつつ、一方の排水導入口から管本体部に流入した排水が、他方の排水導入口から横枝管に進入することをより効果的に回避することができる。
【００４１】
（１７）
他の局面に従う配管システムは、上記一の局面に従う配管部材を含む。
本発明の配管システムにより、横枝管からの排水をまとめて上下方向に配設された排水縦管へ通流させる際に、一方の横枝管から導入された排水が、対向する他方の横枝管へ流入することを防止し、または流入する排水量を大幅に減少させることができる。
【発明の効果】
【００４２】
この発明によれば、大便器等からの横枝管を接続しても、これに対向する他の横枝管に詰まりなどの問題が生じにくく、かつ、正面視における幅方向寸法を短くし、パイプシャフトに対してコンパクトに収めることのできる配管部材を提供することができる。
【図面の簡単な説明】
【００４３】
【図１】建築物における配管システムの一例を示す概念図である。
【図２】第１の実施形態に係る配管部材の一例を示す模式的正面図である。
【図３】第１の実施形態に係る配管部材の一例を示す模式的一部切り欠き側断面図である。
【図４】図３の実施形態に係る配管部材のＡ−Ａ線横断面の一例を含む模式図である。
【図５】第２の実施形態に係る配管部材の一例を示す模式的横断面図である。
【図６】第３の実施形態に係る配管部材の模式的横断面図である。
【図７】第２の実施形態に係る配管部材の他の例を示す模式的横断面図である。
【図８】第２の実施形態に係る配管部材の他の例を示す模式的横断面図である。
【図９】第２の実施形態に係る配管部材の他の例を示す模式的横断面図である。
【図１０】第２の実施形態に係る配管部材の他の例を示す模式的横断面図である。
【図１１】第２の実施形態に係る配管部材の他の例を示す模式的横断面図である。
【図１２】第２の実施形態に係る配管部材の他の例を示す模式的横断面図である。
【図１３】第２の実施形態に係る配管部材の他の例を示す模式的横断面図である。
【図１４】第２の実施形態に係る配管部材の他の例を示す模式的横断面図である。
【図１５】第２の実施形態に係る配管部材の他の例を示す模式的横断面図である。
【図１６】実施例１の排水システムの一例を示す模式図である。
【図１７】比較例１の配管部材の例を示す模式的横断面図である。
【発明を実施するための形態】
【００４４】
［第１実施形態］
以下、図面を参照しつつ、本発明の実施の形態について説明する。
まず、本実施形態に係る配管部材１０を使用する態様について説明を行う。図１は、マンション等の複数の階を有する建築物における配管システムＸの一例を示す概念図である。
【００４５】
（配管システムＸ）
図１に示すように、配管システムＸは、配管部材１０、横枝管１８０、水まわり器具Ａ、及び排水縦管２００を含む。
図１の配管システムＸは、床スラブ上配管方式の一例であり、マンションの３階分を図示している。例えば、各部屋に、配管部材１０、横枝管１８０、及び水まわり器具Ａが配設されている。
【００４６】
図１に示すように、配管部材１０の側部には横枝管１８０が接続されており、配管部材１０の上端及び下端には、排水縦管２００がそれぞれ接続される。
従って、水まわり器具Ａからの排水は、横枝管１８０を介して配管部材１０に流される。
【００４７】
すなわち、図１の配管システムＸにおいて、配管部材１０は、複数の階を有する建築物において、各階に設置された複数の水まわり器具Ａからの排水を集合させる役割を有し、排水縦管２００は、配管部材１０により集合させた排水をまとめて下方向へ通流させる役割を有する。
【００４８】
（配管部材１０）
次に、配管部材１０の詳細について説明を行う。図２から図４は、本実施形態に係る配管部材１０の一例を示す模式図である。
【００４９】
図２は、第１の実施形態に係る配管部材の一例を示す模式的正面図である。図３は、第１の本実施形態に係る配管部材の一例を示す模式的一部切り欠き側断面図である。図４は、図３の実施形態に係る配管部材のＡ−Ａ線横断面の一例を含む模式図である。なお、図４においては、配管部材に横枝管が接続された態様を模式的に示している。
【００５０】
（管本体部１２０）
図２及び図３に示すように、配管部材１０は、建築物において排水縦管２００（図１参照）に取り付けた状態で上下方向に延在する管状の管本体部１２０を有する。
【００５１】
図２に示すように、管本体部１２０は、上部側に大径の胴体部１２１を有し、下部側に縮径するテーパ部１２２を有する。テーパ部１２２の内壁１２４（図３参照）には、旋回羽根２２０を有する。
【００５２】
また、図２及び図３に示すように、配管部材１０は、管本体部１２０の上端に排水縦管２００が接続されるべき上部接続部１３０を有し、管本体部１２０の下端に排水縦管２００が接続されるべき下部接続部１５０を有する。
【００５３】
また、図３に示すように、配管部材１０の管本体部１２０における胴体部１２１の両側壁には、それぞれ、水まわり器具用の横枝管１８０（図１参照）が接続されるべき横枝管接続部２４０を有する継手管部１４０が連設される。
【００５４】
なお、水まわり器具Ａ用の横枝管１８０（図１参照）は、互いに略同高さにおいて配管部材１０に接続される。すなわち、横枝管１８０の管底が床スラブに対して略同じ高さで接続される。具体的に、横枝管１８０の勾配を確保するため、配管部材１０近傍ではなるべく、床スラブを這うように横枝管１８０が配管される。したがって、横枝管１８０の軸芯高さは口径が小さい方が床スラブに近く（低く）設けることができ、省スペース化が実現できるので好ましい。
【００５５】
管本体部１２０の胴体部１２１には、図４に示すように、排水導入口１６０及び継手管部１４０が形成されている。継手管部１４０には、横枝管接続部２４０が形成されている。図４に示す配管部材の横断面は、中心軸Ｐに対して点対称の形状である。従って、図４においては、点対称形であることにより同じ形状及び機能を有する一対の構造について、片方の構造の符号の記載を省略しているものがある（以下、図５〜１５においても同様）。
また、以下における説明の都合上、中心軸Ｐの方向に横断面を見ることを平面視と記載する。さらに、配管部材１０に排水を流入させる横枝管１８０が接続される側を上流側、配管部材１０内で排水集合の中心となる中心軸Ｐの側を下流側と記載する。
【００５６】
（排水導入口１６０及び継手管部１４０）
管本体部１２０の胴体部１２１の対向する内壁面には、一対の排水導入口１６０が開口して設けられている。排水導入口１６０は、一方の端縁１６１と他方の端縁１６２とを有する。一対の排水導入口１６０は、管本体部１２０の中心軸Ｐに対し互いに点対称となるように配設されている。
【００５７】
一対の排水導入口１６０の一方及び他方それぞれには、継手管部１４０が連通している。ここで、各排水導入口１６０の中心同士を結んだ直線をＬ１（図４参照）で表す。以下、この直線Ｌ１の方向を、排水導入口１６０の対向方向Ｌ１と記載する。また、継手管部１４０の開口端２４１（後述）における径方向に垂直な直線であって、当該開口端２４１の中心を通る直線をＬ２で表す。本実施形態において、直線Ｌ２は、横枝管接続部２４０の中心軸及び横枝管１８０の中心軸と一致する。以下、この直線Ｌ２の方向を、横枝管１８０の接続方向Ｌ２と記載する。
【００５８】
管本体部１２０の中心軸Ｐの方向から見た平面視において、これら一対の排水導入口１６０の対向方向Ｌ１が、各水まわり器具Ａ（図１参照）から継手管部１４０に接続される横枝管１８０の接続方向Ｌ２と交差するように、一対の排水導入口１６０及び一対の継手管部１４０が設けられている。すなわち、排水導入口１６０の対向方向Ｌ１と横枝管１８０の接続方向Ｌ２とが、平面視で互いに非平行となるように設定されている。従って、排水導入口１６０の対向方向Ｌ１は、横枝管１８０の接続方向Ｌ２に対して傾いた状態となっている。
【００５９】
さらに、本実施形態では、一方の排水導入口１６０を横枝管１８０の接続方向Ｌ２の上流側から下流側へ投影した場合、当該一方の排水導入口１６０の投影が他方の排水導入口１６０に重ならないように、一対の排水導入口１６０が形成されている。
【００６０】
継手管部１４０は、一対の排水導入口１６０からそれぞれ外側に膨出するように湾曲形成された、中心軸Ｐに対して点対称の変形管状を有している。継手管部１４０の内壁は、排水導入口１６０の端縁１６２を基端とする、外側に膨出するように湾曲した内壁１４１と、排水導入口１６０の端縁１６１を基端とする傾斜面２６０（後述）とを有する。これら内壁１４１と傾斜面２６０とを含む内壁に囲まれた継手管部１４０の内部には、横枝管１８０からの排水Ｗが通流する流路３００が形成されている。これによって、継手管部１４０の内部には、湾曲した流路３００が形成されている。流路３００は、配管部材１０の試験のために用いるテストボール等の通りやすさの観点からは、幅が広いほど好ましい。
【００６１】
（横枝管接続部２４０）
一対の継手管部１４０のそれぞれには、排水導入口１６０とは反対側の端部に、横枝管接続部２４０が形成される。横枝管接続部２４０は、図２から図４に示すように、水まわり器具Ａ（図１参照）からの横枝管１８０が水平方向に接続可能となるように形成される。具体的には、横枝管接続部２４０は、断面の相違する複数の環状体から主になっており、開口端２４１及び当接部２４２，２４３を有する。当接部２４２，２４３は、横枝管１８０の端部を当接させるように（後述）形成されている。より具体的には、当接部２４２は継手管部１４０の内壁１４１側において、流路３００側に向けて突設され、当接部２４３は傾斜面２６０側に設けられる。
【００６２】
本実施形態においては、一方の継手管部１４０の開口端２４１中心と、他方の継手管部１４０の開口端２４１中心とを結ぶ直線は、横枝管１８０の接続方向を示す直線Ｌ２と一致して一直線となる。このことにより、それぞれの横枝管接続部２４０に接続される一対の横枝管１８０の接続方向Ｌ２が平面視において一直線となるような位置および向きに配設される。なお、本実施形態においては、一対の横枝管１８０の接続方向が平面視において一直線となっているが、厳密に一直線であることに限定されず、若干のずれ（例えば一方の開口端２４１の径方向に垂直な直線と、他方の開口端２４１の径方向に垂直な直線とが、０度超６０度以下の角度をなすこと、又は、当該両直線が平行且つ離間していること）も許容する。本発明の配管部材１０を用いた配管システムＸ（図１参照）の設計及び施工上の観点から、一対の横枝管１８０それぞれにおける接続方向のずれが少ないほど好ましい。
【００６３】
（傾斜面２６０）
傾斜面２６０は、継手管部１４０の開口端２４１を直線Ｌ２の上流側から下流側の方向へ投影した場合に、当該開口端２４１の投影を遮るように（図２参照）形成されている。すなわち、傾斜面２６０は、横枝管１８０から配管部材１０内に流入する排水の方向を変化させるように設けられる。具体的には、図４に示すように、傾斜面２６０は、上流側が横枝管接続部２４０に連設され、継手管部１４０の内壁１４１の膨出方向と並行に傾斜することにより、下流側端縁が直線Ｌ２（横枝管接続部２４０の中心軸）に達するように延在している。当該下流側端縁には、排水導入口１６０の一方の端縁１６１が配設される。さらに、端縁１６１から、中心軸Ｐにおいて中心角１８０度未満となる位置に排水導入口１６０の他方の端縁１６２が配設される。端縁１６２は、排水導入口１６０が内壁１４１の膨出方向に沿って形成されるように位置する。これによって、横枝管１８０から継手管部１４０に流入した排水は、図４中破線矢印Ｗで示されるように、傾斜面２６０に衝突して傾斜方向へ流れの向きが変えられ、さらに継手管部１４０の内壁１４１に沿って湾曲した流れを生じつつ、排水導入口１６０から管本体部１２０内部へ導入される。
また、図４に示すように、一対の傾斜面２６０は、平面視において、管本体部１２０の中心軸Ｐに対し互いに点対称となる位置に配設されている。
【００６４】
なお、管本体部１２０と継手管部１４０とは、別々に形成してもよいし、一体に形成してもよい。また、管本体部１２０および継手管部１４０の材質は特に限定されるものではなく、例えば、鋳鉄その他の金属、及び硬質塩化ビニルその他の樹脂等が挙げられる。樹脂は、モルタルで被覆されたものであってもよい。
【００６５】
（配管部材と排水縦管との接続）
配管部材１０の管本体部１２０の上部接続部１３０では、排水縦管２００（図１参照）の端部が上部支持部１３１にパッキン等を介する等して当接して支持される。また、排水縦管２００の外周と上部接続部１３０の内周との間にゴムパッキン等を介在させることにより、排水縦管２００と上部接続部１３０とが水密に嵌合されることにより接続される。
【００６６】
同様に、下部接続部１５０では、排水縦管２００（図１参照）の端部が下部支持部１５１にパッキン等を介する等して当接して支持される。また、排水縦管２００の外周と下部接続部１５０の内周との間にゴムパッキン等を介在させてフランジ同士をネジ締結することにより排水縦管２００と下部接続部１５０とが水密に嵌合されることにより接続される。
【００６７】
（配管部材と横枝管との接続）
配管部材１０の管本体部１２０の横枝管接続部２４０では、図４に示すように、横枝管１８０の端部が当接部２４２，２４３に当接する。また、横枝管１８０の外周と横枝管接続部２４０の内周との間にゴムパッキン等（図示せず）を介在させてフランジ同士をネジ締結することにより横枝管１８０と横枝管接続部２４０とが水密に嵌合されることにより接続される。
【００６８】
［第２実施形態］
図５は、第２実施形態に係る配管部材１０ａの模式的横断面図である。図５は、図４に対応するものであるが、横枝管１８０及び横枝管接続部２４０における当接部２４２，２４３の記載は省略している。第２実施形態においては、第１実施形態と異なる点について説明し、同一点については説明を省略する。
【００６９】
（配管部材１０ａ）
図５は、第１実施形態の他の例である配管部材１０ａの模式的横断面図である。図５に示すように、配管部材１０ａは、制流リブ２８０ａがさらに設けられたものである。
【００７０】
（制流リブ２８０ａ）
制流リブ２８０ａは、管本体部１２０の内壁面において、排水導入口１６０の端縁１６１に突設される。また、制流リブ２８０ａは、中心軸Ｐを中心として上部支持部１３１（図３参照）の内径よりも外側の領域内に配設される。その結果、当該排水流と、排水縦管２００（図１参照）からの排水流との干渉を回避することができる。
【００７１】
制流リブ２８０ａは、一方の排水導入口１６０から他方の排水導入口１６０に向かう排水流を規制する形状で設けられる。図５に示すように、制流リブ２８０ａは、制流面２８１ａ及び張出し面２８２ａを有し、それら制流面２８１ａ及び張出し面２８２ａが平面視において対向する断面矩形状である。
制流面２８１ａは、一方の排水導入口１６０から他方の排水導入口１６０に向かう排水流を規制するように形成される。より具体的には、制流面２８１ａは、直線Ｌ２の近傍において、直線Ｌ２に平行となるように設けられる。これにより、制流面２８１ａは、一方の排水導入口１６０からの排水を衝突させ、中心軸Ｐの方向へ排水流を切り返すことによって、対向する他方の排水導入口１６０及びそれに連設された継手管部１４０を介して横枝管１８０（図４参照）へ排水が飛び込むことを防止することができる。
【００７２】
一方張出し面２８２ａは、排水導入口１６０の端縁１６１を基端として管本体部１２０の内部に張出すように設けられている。これにより、排水の飛び込みを防止すべき排水導入口１６０に最も近い位置に制流リブ２８０ａが配置される。従って、上述の制流面２８１ａによる排水の飛び込み防止効果を効率的に得ることができる。
【００７３】
［第３実施形態］
図６は、第３実施形態に係る配管部材１０ｂの模式的横断面図である。図６は、図４に対応するものであるが、横枝管１８０及び横枝管接続部２４０における当接部２４２，２４３の記載は省略している。第３実施形態においては、第２実施形態と異なる点について説明し、同一点については説明を省略する。
【００７４】
継手管部１４０ｂの開口端２４１ｂにおける径方向に垂直な直線であって、当該開口端２４１ｂの中心を通る直線をＬ３で表す。直線Ｌ３は、横枝管接続部２４０ｂの中心軸及び横枝管１８０の中心軸と一致するものでもある。それぞれの直線Ｌ３は、互いに平行である。以下、この直線Ｌ３の方向を、横枝管の接続方向Ｌ３と記載する。
【００７５】
図６に示すように、第３実施形態に係る配管部材１０ｂは、横枝管の接続方向Ｌ３が、平面視において一直線とならないように、継手管部１４０ｂおよびその横枝管接続部２４０ｂの位置が設定されているものである。さらに、制流リブ２８０ｂが、排水導入口１６０の端縁１６１から張出す位置ではなく、当該端縁１６１ｂと点対称にある端縁１６１ｂを含む排水導入口１６０ｂからの排水流の上流側へ、内壁面に沿って移動させた位置に設けられる。
【００７６】
制流リブ２８０ｂは、平面視において、排水導入口１６０ｂの端縁１６１ｂ及び管本体部１２０の中心軸Ｐを結ぶ直線と、張出し面２８２ｂの管本体内壁側の基端２８３ｂ及び管本体部１２０の中心軸Ｐを結ぶ直線とが、角度θ１をなすように配設されている。図６の例においては、制流リブ２８０ｂは、角度θ１が６０度以下となるように設けられている。制流リブ２８０ｂは、角度θ１が小さいほど、排水の飛び込みを防止すべき排水導入口１６０ｂの端縁１６１ｂに近い場所に位置する。従って、一方の排水導入口１６０ｂからの排水が、対向する他方の排水導入口１６０ｂ及びそれに連設された継手管部１４０ｂを介して横枝管１８０（図４参照）へ飛び込むことを防止する観点からは、角度θ１が小さいほど好ましい。
【００７７】
［他の例］
以下、図７〜図１４を参照し、第２実施形態に係る配管部材１０ａの他の例について説明する。図７〜図１４は、第２実施形態に係る配管部材１０ａの他の例を示す模式的横断面図である。図７〜図１４は、いずれも図４に対応するものであるが、横枝管１８０及び横枝管接続部２４０における当接部２４２，２４３の記載は省略している。他の例においては、第２実施形態と異なる点について説明し、同一点については説明を省略する。
【００７８】
（配管部材１０ｃ）
図７は、第２実施形態の他の例である配管部材１０ｃの模式的横断面図である。図７に示すように、配管部材１０ｃは、制流リブ２８０ｃが、排水導入口１６０の端縁１６１から張出す位置ではなく、当該端縁１６１ｃと点対称にある端縁１６１ｃを含む排水導入口１６０ｃからの排水流の上流側へ、内壁面に沿って移動させた位置に設けられる。さらに、配管部材１０ｃは、排水導入口１６０の一方の端縁１６１から、中心軸Ｐにおいて中心角１８０度未満となる位置に他方の端縁１６２が設けられるのではなく、排水導入口１６０ｃの一方の端縁１６１ｃから、中心軸Ｐにおいて中心角約９０度となる位置に他方の端縁１６２ｃが設けられる。
【００７９】
制流リブ２８０ｃは、平面視において、排水導入口１６０ｃの端縁１６１ｃ及び管本体部１２０の中心軸Ｐを結ぶ直線と、張出し面２８２ｃの管本体内壁側の基端２８３ｃ及び管本体部１２０の中心軸Ｐを結ぶ直線とが、角度θ１をなすように配設されている。図７の例においては、制流リブ２８０ｃは、角度θ１が６０度以下となるように設けられている。従って、一方の排水導入口１６０ｃからの排水が、対向する他方の排水導入口１６０ｃ及びそれに連設された継手管部１４０ｃを介して横枝管１８０（図４参照）へ飛び込むことを防止する効果は、上述の配管部材１０ｂと同等である。
【００８０】
（配管部材１０ｄ）
図８は、第２実施形態の他の例である配管部材１０ｄの模式的横断面図である。図８に示すように、配管部材１０ｄは、制流リブ２８０ｄが、排水導入口１６０の端縁１６１から張出す位置ではなく、当該端縁１６１ｄと点対称にある端縁１６１ｄを含む排水導入口１６０ｄからの排水流のより上流側へ、内壁面に沿って移動させた位置に設けられる。
図８の例においては、制流リブ２８０ｄは、排水導入口１６０ｄの端縁１６１ｄ及び管本体部１２０の中心軸Ｐを結ぶ直線と、張出し面２８２ｄの管本体内壁側の基端２８３ｄ及び管本体部１２０の中心軸Ｐを結ぶ直線とがなす角度θ１が、６０度を超えるように設けられている。
【００８１】
（配管部材１０ｅ）
図９は、第２実施形態の他の例である配管部材１０ｅの模式的横断面図である。図９に示すように、配管部材１０ｅは、制流リブ２８０ｅが、断面山形状に形成されたものである。
【００８２】
制流リブ２８０ｅは、排水導入口１６０ｅの端縁１６１ｅに設けられる。制流面２８１ｅ及び張出し面２８２ｅが平面視において非平行であることにより、両面の交差稜２８５ｅが角度θ３をなしている。図９の例においては、制流リブ２８０ｅは、角度θ３が直角である。制流リブ２８０ｅの制流面２８１ｅは、直線Ｌ２に対して直角となるように設けられている。張出し面２８２ｅは、排水導入口１６０ｅの端縁１６１ｅを基端２８３ｅとして管本体部１２０内部へ張出すように設けられている。制流リブ２８０ｅがこのような断面山形状であることは、金型を用いて配管部材を成形する場合における成形容易性の点で好ましい。
【００８３】
直線Ｌ２に対して直角となるように設けられた制流面２８１ｅは、一方の排水導入口１６０ｅから導入された排水を衝突させる。これにより、排水流の方向を変更する。一方、張出し面２８２ｅは、制流リブ２８０ｅを内部へ張出させる。これにより、排水流の方向を変更する制流面２８１ｅを、排水の飛び込みを防止すべき他方の排水導入口１６０ｅから遠ざける。従って、一方の排水導入口１６０ｅから導入された排水が対向する他方の排水導入口１６０ｅ及びそれに連設された継手管部１４０ｅを介して横枝管１８０（図４参照）へ飛び込むことを防止することができる。
【００８４】
さらに、制流リブ２８０ｅは、平面視において、張出し面２８２ｅの基端２８３ｅ（端縁１６１ｅと同じ）及び管本体部１２０の中心軸Ｐを結ぶ直線と、制流面２８１ｅの基端２８４ｅ及び中心軸Ｐを結ぶ直線とが、角度θ２をなすように配設されている。制流リブ２８０ｅは、角度θ２が、１０度以上９０度以下となるように設けられている。本実施形態では、角度θ２が大きいほど、制流リブ２８０ｅの張出し量が大きくなる。それに伴い、制流面２８１ｅが、排水の飛び込みを防止すべき排水導入口１６０ｅから遠ざかり、中心軸Ｐに近づく。つまり、角度θ２が大きいほど、一方の排水導入口１６０ｅからより遠く且つ中心軸Ｐにより近い場所で排水流の方向が変更される。従って、一方の排水導入口１６０ｅから対向する他方の排水導入口１６０ｅへの排水の飛び込み防止の観点からは、角度θ２が大きいほど好ましい。さらに、一方の排水導入口１６０ｅから対向する他方の排水導入口１６０ｅに向かう排水流と、排水縦管２００（図１参照）からの排水流との干渉を回避する観点も併せて考慮すると、角度θ２は、１０度以上４５度以下であることがより好ましい。
【００８５】
（配管部材１０ｆ）
図１０は、第２実施形態の他の例である配管部材１０ｆの模式的横断面図である。図１０に示すように、配管部材１０ｆは、制流リブ２８０ｆの張出し面２８２ｆが排水導入口１６０ｆの端縁１６１ｆから管本体部１２０の内壁面の周方向に離れた位置に設けられたものである。
【００８６】
制流リブ２８０ｆは、平面視において、排水導入口１６０ｆの端縁１６１ｆ及び管本体部１２０の中心軸Ｐを結ぶ直線と、張出し面２８２ｆの管本体内壁側の基端２８３ｆ及び管本体部１２０の中心軸Ｐを結ぶ直線とが、角度θ１をなすように配設されている。図１０の例においては、制流リブ２８０ｆは、角度θ１が６０度以下となるように設けられている。また、張出し面２８２ｆの基端２８３ｆ及び中心軸Ｐを結ぶ直線と、制流面２８１ｆの基端２８４ｆ及び中心軸Ｐを結ぶ直線とが、角度θ２をなすように設けられている。図１０の例においては、制流リブ２８０ｆは、角度θ２が１０度以上９０度以下となるように設けられている。
【００８７】
（配管部材１０ｇ）
図１１は、第２実施形態の他の例である配管部材１０ｇの模式的横断面図である。図１１に示すように、配管部材１０ｇは、直線Ｌ２（横枝管接続部２４０の中心軸）上に排水導入口１６０の端縁１６１が配設されるのではなく、端縁１６１ｇと点対称にある端縁１６１ｇを含む排水導入口１６０ｇからの排水流の上流側へ内壁面に沿って移動させた位置に、端縁１６１ｇが配設される。従って、一方の排水導入口１６０ｇを直線Ｌ２の当該上流側から下流側の方向に投影した場合に、当該一方の排水導入口１６０ｇの投影（以下、直線Ｌ２方向の投影と記載する。）が他方の排水導入口１６０ｇに一部重なる。この結果、配管部材１０ｇは、配管部材１０よりも、継手管部１４０ｇの膨出量が少なくなるように形成できる。
【００８８】
一方、一方の排水導入口１６０ｇから導入された排水が対向する他方の排水導入口１６０ｇへ飛び込むことを防止する観点からは、一方の排水導入口１６０ｇの直線Ｌ２方向の投影と他方の排水導入口１６０ｇとの重なりがない方が好ましい。
【００８９】
ここで、本実施形態においては、制流リブ２８０ｇは、排水導入口１６０ｇの端縁１６１ｇに設けられている。また、制流リブ２８０ｇは、張出し面２８２ｇの基端２８３ｇ及び中心軸Ｐを結ぶ直線と、制流面２８１ｇの基端２８４ｇ及び中心軸Ｐを結ぶ直線とがなす角度θ２が、１０度以上９０度以下となるように設けられている。さらに、制流面２８１ｇ及び張出し面２８２ｇは、それらの交差稜２８５ｇがなす角度θ３が鋭角となるように形成されている。本実施形態では、角度θ３が鋭角であることにより、交差稜２８５ｇが直線Ｌ２（横枝管接続部２４０の中心軸）まで達している。これによって、角度θ３が鋭角より小さい場合に比べて、角度θ２の割に制流面２８１ｇの面積が大きくなるように形成される。従って、排水導入口１６０ｇから管本体部１２０内に導入された排水の方向を効果的に変更することができる。
【００９０】
さらに、張出し面２８２ｇと傾斜面２６０とは面一に形成されている。つまり、管本体部１２０内部において、傾斜面２６０が張出し面２８２ｇによって延長される。これによって、張出し面２８２ｇも、傾斜面２６０の機能（横枝管１８０（図４参照）から配管部材１０ｇ内に流入する排水の方向を変更する機能）を担う。従って、横枝管１８０（図４参照）から配管部材１０ｇ内に流入する排水の方向を効果的に変更することができる。
【００９１】
以上より、配管部材１０ｇは、一方の排水導入口１６０ｇの直線Ｌ２方向の投影と他方の排水導入口１６０ｇとが一部重なるにも拘らず、制流リブ２８０ｇによって、一方の排水導入口１６０ｇから対向する他方の排水導入口１６０ｇへの排水の飛び込みを効果的に防止することができる。
さらに、継手管部１４０ｇの膨出量が少ないため、一方の継手管部１４０ｇの最外表面から他方の継手管部１４０ｇの最外表面までの距離、すなわち正面視における幅寸法（図２参照）が小さい。従って、パイプシャフト内における配管部材１０ｇの省スペース化が実現される。
【００９２】
（配管部材１０ｈ）
図１２は、第２実施形態の他の例である配管部材１０ｈの模式的横断面図である。図１２が示すように、配管部材１０ｈは、制流リブ２８０ｈの、制流面２８１ｈ及び張出し面２８２ｈの交差稜２８５ｈがなす角度θ３が直角となるように形成されたものである。
【００９３】
（配管部材１０ｉ）
図１３は、第２実施形態の他の例である配管部材１０ｉの模式的横断面図である。図１３が示すように、配管部材１０ｉは、制流リブ２８０ｉの制流面２８１ｉ及び張出し面２８２ｉがなす交差稜２８５ｉの部分に、凸部２８６ｉがさらに突設されたものである。
【００９４】
凸部２８６ｉは、断面矩形状である。制流面２８１ｉは、直線Ｌ２に対して直角をなすように設けられており、凸部２８６ｉは、制流面２８１ｉから、管本体部１２０の中心軸Ｐの方向へ直角に突出するように形成されている。これによって、一方の排水導入口１６０ｉから導入され制流面２８１ｉへの衝突によって流れが変更された排水が、さらに凸部２８６ｉに衝突することによって、中心軸Ｐの方向へ切り返される。従って、対向する他方の排水導入口１６０ｉに排水が飛び込むことをより効果的に防止することができる。
【００９５】
（配管部材１０ｊ）
図１４は、第２実施形態の他の例である配管部材１０ｊの模式的横断面図である。図１４が示すように、配管部材１０ｊは、制流リブ２８０ｊの制流面２８１ｊが湾曲し、さらに、制流リブ２８０ｊの先端に鉤状部２８７ｊが形成されたものである。
【００９６】
制流リブ２８０ｊは、制流面２８１ｊが中心軸Ｐと反対側の方向に凹となるように湾曲している。鉤状部２８７ｊは、先端が管本体部１２０の中心軸Ｐの方向へ向いており、且つ、凹状の制流面２８１ｊと面一となるように形成されている。これによって、一方の排水導入口１６０ｊから導入され制流面２８１ｊへ衝突した排水は、制流面２８１ｊの凹形状によって中心軸Ｐにより近い方向へ流れが変更される。さらに、排水は鉤状部２８７ｊに衝突することによって、中心軸Ｐの方向へ切り返される。従って、対向する他方の排水導入口１６０ｊに排水が飛び込むことをより効果的に防止することができる。
【００９７】
（配管部材１０ｋ）
図１５は、第２実施形態の他の例である配管部材１０ｋの模式的横断面図である、図１５が示すように、配管部材１０ｋは、制流リブ２８０ｋと補助リブ２９０とがさらに形成されたものである。
【００９８】
（制流リブ２８０ｋ）
制流リブ２８０ｋは、平面視において、排水導入口１６０ｋの端縁１６１ｋ及び管本体部１２０の中心軸Ｐを結ぶ直線と、張出し面２８２ｋの管本体内壁側の基端２８３ｋ及び管本体部１２０の中心軸Ｐを結ぶ直線とが、角度θ１をなすように配設されている。図１５の例においては、制流リブ２８０ｋは、角度θ１が６０度以下となるように設けられている。また、張出し面２８２ｋの基端２８３ｋ及び中心軸Ｐを結ぶ直線と、制流面２８１ｋの基端２８４ｋ及び中心軸Ｐを結ぶ直線とが、角度θ２をなすように設けられている。図１５の例においては、制流リブ２８０ｋは、角度θ２が１０度以上９０度以下となるように設けられている。
【００９９】
（補助リブ２９０）
補助リブ２９０は、管本体部１２０の内壁面において、制流リブ２８０ｋの上流に突設される。また、補助リブ２９０は、一方の排水導入口１６０ｋから他方の排水導入口１６０ｋに向かう排水流を補助的に規制するような形状で設けられる。図１５に示すように、補助リブ２９０は、補助制流面２９１及び張出し面２９２を有し、それら補助制流面２９１及び張出し面２９２が平面視において対向する断面矩形状である。
【０１００】
補助制流面２９１は、一方の排水導入口１６０ｋから他方の排水導入口１６０ｋに向かう排水流を補助的に規制するように形成される。
より具体的には、補助制流面２９１は、直線Ｌ２に直角になるように設けられる。これにより、補助制流面２９１は、一方の排水導入口１６０ｋからの排水の少なくとも一部を衝突させ、中心軸Ｐの方向へ切り返し、又は制流リブ２８０ｋの制流面２８１ｋへ衝突する排水流を弱め、対向する他方の排水導入口１６０ｋ及びそれに連設された継手管部１４０ｋを介して横枝管１８０（図４参照）へ排水が飛び込むことを防止することができる。
【０１０１】
補助リブ２９０は、平面視において、排水導入口１６０ｋの端縁１６１ｋ及び管本体部１２０の中心軸Ｐを結ぶ直線と、張出し面２９２の管本体内壁側の基端２９３及び管本体部１２０の中心軸Ｐを結ぶ直線とが、角度θ１’をなすように配設されている。補助リブ２９０は制流リブ２８０ｋの上流側に配設されるため、補助リブに関する角度θ１’は、制流リブに関する角度θ１よりも大きい。図１５の例においては、補助リブ２９０は、角度θ１’が９０度以下となるように配設される。
なお、図１５の例において、補助リブ２９０の補助制流面２９１は、平面視で直線Ｌ２に直角になるように設けられているが、この状態からさらに、排水導入口１６０ｋの一方側または他方側に４５度以下の角度をなして傾くように設けられてもよい。
【０１０２】
なお、配管部材１０では、テーパ部１２２の内壁１２４に、旋回羽根２２０を有している。しかしながら、本発明の配管部材は、旋回羽根２２０を有していなくてもよい。
また、配管部材１０，１０ａ，〜，１０ｋでは、２本の横枝管１８０が接続されるようになっている。しかしながら、本発明の配管部材においては、横枝管１８０の接続本数はこれに限られず、継手管部１４０，１４０ｂの数を３本、４本、その他任意の数と増加させて、３本、４本、その他任意の数の横枝管１８０を接続させてもよい。
さらに、配管部材１０ｂでは、傾斜面２６０ｂおよび制流リブ２８０ｂの両方が設けられている。しかしながら、本発明の配管部材は、傾斜面２６０ｂおよび制流リブ２８０ｂのいずれか一方のみが設けられていてもよい。
【０１０３】
［実施例］
以下、本発明に係る配管部材及び比較例となる配管部材を用いて実験を実施した。図１６（ａ）〜図１６（ｃ）は、実験で用いた配管システムを示す模式図である。
【０１０４】
（実施例１）
実施例１においては、実施の形態において説明した配管部材１０（縦管の呼び径１００、横枝管の呼び径１００）を用い、図１６（ａ）〜図１６（ｃ）それぞれの配管システムａ〜ｃに供した。
【０１０５】
図１６（ａ）の配管システムａにおいて、配管部材１０の横枝管接続部２４０Ｌに横枝管１８０Ｌを接続し、横枝管接続部２４０Ｒに水回り器具（大便器）Ａ用の横枝管１８０Ｒを接続した。横枝管１８０Ｒは、Ｌ字状に屈曲した形状のもの（Ｌ字管）を用いて、その先端を大便器Ａの下端に接続した。横枝管１８０Ｒの水平方向長さｌＲは１０００ミリメートルとした。横枝管１８０Ｒの高さ方向の高さＨは、１６０ミリメートルとした。横枝管接続部２４０Ｌに接続された横枝管１８０Ｌの水平方向長さｌＬは、６００ミリメートルとした。
【０１０６】
図１６（ｂ）の配管システムｂにおいて、配管部材１０の横枝管接続部２４０Ｌに横枝管１８０Ｌを接続し、横枝管接続部２４０Ｒに大便器Ａ用の横枝管１８０Ｒを接続した。横枝管１８０Ｒは、直線形状のものを用い、その先端を大便器Ａの側部に接続した。横枝管１８０Ｒの水平方向長さｌＲは６００ミリメートルとした。横枝管接続部２４０Ｌに接続された横枝管１８０Ｌの水平方向長さｌＬは、６００ミリメートルとした。
【０１０７】
図１６（ｃ）の配管システムｃにおいて、配管部材１０の横枝管接続部２４０Ｌに横枝管１８０Ｌを接続し、横枝管接続部２４０Ｒに大便器Ａ用の横枝管１８０Ｒを接続した。横枝管１８０Ｒは、２本のＬ字管が一体に連設された形状のものを用い、その先端を大便器Ａの下端に接続した。横枝管１８０Ｒの水平方向長さｌＲは１０００ミリメートルとした。横枝管１８０Ｒの高さ方向の高さＨ１は１６０ミリメートル、高さＨ２は４００ミリメートルとした。
【０１０８】
図１６（ａ）〜図１６（ｃ）それぞれの配管システムａ〜ｃにおいて、大便器Ａから排水し、横枝管１８０Ｌから外部に流出した水の重量（飛び出し量）を測定した。測定はそれぞれの配管システムにおいて３回行い、平均値を算出した。なお、いずれの配管システムにおいても、大便器Ａからの排水の最大流量（Ｑｍａｘ）は、２．６リットル毎秒とした。
なお、配管部材１０に流入する排水流の強さは、図１６（ａ）の配管システムａ及び図１６（ｂ）の配管システムｂにおいては同等である。一方、図１６（ｃ）の配管システムｃにおいては、配管部材１０への排水の導入直前に、高さＨ２の高さだけ排水が落下するため、配管部材１０に流入する排水流の強さは図１６（ａ）の配管システムａ及び図１６（ｂ）の配管システムｂに比べて強い。
【０１０９】
（実施例２）
実施例２においては、配管部材１０の代わりに実施の形態において説明した配管部材１０ｆ（縦管の呼び径１００、横枝管の呼び径１００）を用いた。その他の条件については実施例１と同様である。
【０１１０】
（実施例３）
実施例３においては、配管部材１０の代わりに実施の形態において説明した配管部材１０ａ（縦管の呼び径１００、横枝管の呼び径７５）を用いた。その他の条件については実施例１と同様である。
【０１１１】
（比較例１）
比較例においては、図１７に模式的横断面図としてされる配管部材９００を用いた。図１７が示すように、配管部材９００は、一対の排水導入口９６０それぞれの開口中心、中心軸Ｐ及び一対の開口端９４１それぞれの中心が、一直線Ｌ４上に位置するように配設されている。つまり、一対の排水導入口９６０の対向方向が、横枝管１８０Ｒ及び横枝管１８０Ｌそれぞれの接続方向（図１６参照）と平面視において平行に設定されている。
その他の条件については、実施例１と同様である。
【０１１２】
実施例１〜３及び比較例１の結果を表１に示す。
【表１】
2014080849.tif 000003
【０１１３】
表１に示すように、実施例１〜３全てにおいて、大便器Ａから横枝管１８０Ｒ内を進んだ排水の横枝管１８０Ｌ外への飛び出しを効果的に防止できたことが分かった。特に、制流リブを有する配管部材を用いた実施例２及び実施例３においては、当該飛び出しの防止効果が高いことが分かった。つまり、実施例１〜３、特に実施例２及び３において、大便器Ａからの排水が横枝管１８０Ｒ内から横枝管１８０Ｌ内へ飛び込むことを防止する効果が高いことが分かった。
【０１１４】
一方、比較例１においては、大便器Ａから横枝管１８０Ｒ内を進んだ排水の横枝管１８０Ｌ外への飛び出しを防止できないことが分かった。つまり、比較例１において、大便器Ａからの排水が横枝管１８０Ｒ内から横枝管１８０Ｌ内へ飛び込みやすいことが分かった。
【０１１５】
［実施形態により奏される効果］
本発明に係る配管部材１０，１０ａ，〜，１０ｋによって、以下の効果が奏される。
【０１１６】
本発明の配管部材１０，１０ａ，〜，１０ｋにおいては、一対の排水導入口１６０，１６０ｂ，１６０ｇ，〜，１６０ｋの対向方向Ｌ１が、継手管部１４０，１４０ｂにおける横枝管１８０の接続方向Ｌ２と交差するように、一対の排水導入口１６０，１６０ｂ，〜，１６０ｋ及び一対の継手管部１４０，１４０ｂ，〜１４０ｋが設けられている。これにより、一方の排水導入口１６０，１６０ｂ，〜，１６０ｋから導入された排水Ｗ（図４〜６参照）の少なくとも一部は、他方の排水導入口１６０，１６０ｂ，〜，１６０ｋから外れることになる。したがって、一方の横枝管１８０から他方の横枝管１８０に飛び込む排水Ｗの量を減少させることができる。例えば、大便器から横枝管１８０を接続しても、これに対向する他方の横枝管１８０内に大便器からの排水Ｗが飛び込みにくくなるので、他方の横枝管１８０で詰まりなどの問題が生じにくくなる。
【０１１７】
また、上記効果を得るためには、一対の排水導入口１６０，１６０ｂ，〜，１６０ｋの対向方向Ｌ１を横枝管１８０の接続方向Ｌ２と非平行に設定するだけでよいので、従来のエルボ付き配管部材のように、一方の横枝管１８０を管本体部１２０の中心から大きく離して接続させる必要がなくなる。したがって、正面視における配管部材１０，１０ａ，〜，１０ｋの幅を広くすることなく、パイプシャフトに対する配管部材１０，１０ａ，〜，１０ｋの省スペース化が実現できる。
【０１１８】
さらに配管部材１０，１０ａ，１０ｃ，〜，１０ｋでは、一方及び他方の横枝管接続部２４０に接続されるそれぞれの横枝管１８０の中心軸Ｌ２が平面視において一致するため、一方の横枝管１８０と他方の横枝管１８０とが平面視において一直線となるように配置することができる。これによって、配管部材１０，１０ａ，１０ｃ，〜，１０ｋの正面視における幅をより狭くすることができる。このため、パイプシャフトに対する配管部材１０，１０ａ，１０ｃ，〜，１０ｋのさらなる省スペース化が実現できる。
【０１１９】
配管部材１０，１０ａ，〜，１０ｋにおいては、一方の排水導入口１６０，１６０ｂ，〜，１６０ｋは、直線Ｌ２に対し、他方の排水導入口１６０，１６０ｂ，〜，１６０ｋが形成されている側とは反対側にずれた位置に形成されている。
【０１２０】
さらに、傾斜面２６０，２６０ｂが設けられていることによって、一方の継手管部１４０から一方の排水導入口１６０，１６０ｂ，〜，１６０ｋに流れ込んだ排水Ｗの流れは、他方の排水導入口１６０，１６０ｂ，〜，１６０ｋから離れるように、管本体部１２０の内面に沿った周方向の流れ（図４から図６中、破線矢印で示す排水Ｗの流れ参照）に変えられる。
【０１２１】
より具体的には、他方の継手管部１４０，１４０ｂ，〜１４０ｋに流れ込んできた排水の内、傾斜面２６０，２６０ｂに衝突したものは、傾斜面２６０，２６０ｂの傾斜方向（すなわち、一方の排水導入口１６０，１６０ｂ，〜，１６０ｋから内壁１４１，１４１ｂ側への方向）へ、流れの向きが変えられる。さらに、傾斜面２６０，２６０ｂに衝突しないものも、流れの向きが前述の傾斜面２６０，２６０ｂへの衝突によって変えられた排水に押されて、当該傾斜方向へ流れの向きが変えられる。このため、排水Ｗ全体が他方の排水導入口１６０，１６０ｂ，〜，１６０ｋから内壁１４１，１４１ｂ側へ離れるように、管本体部１２０の内面に沿った周方向の流れに変えられる。従って、一方の排水導入口１６０，１６０ｂ，〜，１６０ｊからの排水Ｗが他方の排水導入口１６０，１６０ｂ，〜，１６０ｋに飛び込みにくくなる。
【０１２２】
さらに、傾斜面２６０，２６０ｂに衝突した排水Ｗが旋回流となることは、旋回羽根２２０による旋回作用を補助することにも資する。
【０１２３】
また、配管部材１０ａ，〜，１０ｋにおいては、制流リブ２８０ａ，〜，２８０ｋが設けられている。
ここで、制流リブ２８０ａ，〜，２８０ｋが設けられていない場合は、対向する横枝管１８０付近に回り込んだ排水が跳ね上がるとともに、跳ね上がった排水が後方から継続して流れてくる排水によって当該横枝管１８０内へ押し込まれる。これによって、横枝管１８０内への排水の飛び込みが発生する。
【０１２４】
一方、配管部材１０ａ，〜，１０ｋにおいては、制流リブ２８０ａ，〜，２８０ｋの制流面２８１ａ，〜，２８１ｋが、一方の排水導入口１６０，１６０ｂ，〜，１６０ｋから導入された排水を衝突させることによって、排水流の方向を変更することができる。これにより、排水が跳ね上がる位置が横枝管１８０から遠くなる。このため、後方から排水が継続して流れてきても、跳ね上がった排水が横枝管１８０内に届きにくくなる。
【０１２５】
これによって、一方の排水導入口１６０，１６０ｂ，〜，１６０ｋから導入された排水が他方の排水導入口１６０，１６０ｂ，〜，１６０ｋから横枝管１８０へ飛び込むおそれをさらに低減することができる。
【０１２６】
また、配管部材１０ａ，〜，１０ｄにおいては、制流リブ２８０ａ，〜，２８０ｄが断面矩形状であるため、一方の排水導入口１６０，１６０ｂ，〜，１６０ｄからの排水を制流面２８１ａ，〜，２８１ｄに衝突させて、排水流の方向を切り返す。これによって、他方の排水導入口１６０，１６０ｂ，〜，１６０ｄから横枝管１８０への排水の飛び込みを効率よく遮ることができる。
【０１２７】
また、配管部材１０ｅ，〜，１０ｋにおいては、制流リブ２８０ｅ，〜，２８０ｋが断面山形状（又はその変形形状）であるため、一方の排水導入口１６０ｅ，〜，１６０ｋから導入された排水を、他方の排水導入口１６０ｅ，〜，１６０ｋから離れた位置（すなわち、他方の排水導入口１６０ｅ，〜，１６０ｋから、上述の横枝管１８０の接続方向Ｌ２に、制流リブ２８０ｅ，〜，２８０ｋの張出し量だけ離れた位置）で制流面２８１ｅ，〜，２８１ｋに衝突させることにより、当該離れた位置で排水流の方向を変更する。これによって、他方の排水導入口１６０ｅ，〜，１６０ｋから横枝管１８０への排水の飛び込みを効率よく遮ることができる。
【０１２８】
配管部材１０ａ，１０ｂ，１０ｃ，１０ｅ，〜，１０ｋにおいては、角度θ１が６０度以下（配管部材１０ａ，１０ｅ，１０ｇ，〜，１０ｊについては、当該θ１は０度）であるため、一方の排水導入口１６０，１６０ｂ，１６０ｃ，１６０ｅ，〜，１６０ｋから導入された排水が他方の排水導入口１６０，１６０ｂ，１６０ｃ，１６０ｅ，〜，１６０ｋから横枝管１８０に飛び込むおそれをさらに低減することができる。
【０１２９】
配管部材１０ｅ，〜，１０ｋにおいては、角度θ２が１０度以上９０度以下であるため、管本体部１２０の中心軸Ｐ方向上方からの通流と横枝管１８０からの通流との干渉を防止しつつ、一方の排水導入口１６０から導入された排水が他方の排水導入口１６０ｅ，〜，１６０ｋから横枝管１８０に飛び込むおそれをさらに低減することができる。
【０１３０】
なお、制流リブの有無に関係なく、配管部材１０，１０ａ，〜，１０ｆにおいては、一方の排水導入口１６０，１６０ｂ，〜，１６０ｆを直線Ｌ２の方向に投影した場合に、一方の排水導入口１６０，１６０ｂ，〜，１６０ｆの投影が他方の排水導入口１６０，１６０ｂ，〜，１６０ｆに重ならないように、一対の排水導入口１６０，１６０ｂ，〜，１６０ｆが配置されている。このため、一方の排水導入口１６０，１６０ｂ，〜，１６０ｆから管本体部１２０に導入された排水が他方の排水導入口１６０，１６０ｂ，〜，１６０ｆに飛び込むことを効果的に回避することができる。
【０１３１】
一方、配管部材１０ｇ，〜，１０ｋにおいては、制流リブ２８０ｇ，〜，２８０ｋを有するため、一方の排水導入口１６０ｇ，〜，１６０ｋを直線Ｌ２の方向に投影した場合に、一方の排水導入口１６０ｇ，〜，１６０ｋの投影が他方の排水導入口１６０ｇ，〜，１６０ｋに一部重なっていることを許容する。これによって、パイプシャフトに対して配管部材１０ｇ，〜，１０ｋの省スペース化が実現できる。
【０１３２】
特に、配管部材１０ｇにおいては、制流リブ２８０ｇにおける交差稜２８５ｇの角度θ３が鋭角であり、且つ、交差稜２８５ｇが直線Ｌ２まで延出しているため、一方の排水導入口１６０ｇから導入された排水が他方の排水導入口１６０ｇから横枝管１８０に飛び込むおそれを回避することができる。配管部材１０ｉ，１０ｊについても同様である。さらに、配管部材１０ｉ，１０ｊの場合は、それぞれ凸部２８６ｉ及び鉤状部２８７ｊが形成されていることにより、一方の排水導入口１６０ｇから導入された排水が他方の排水導入口１６０ｇから横枝管１８０に飛び込むおそれをさらに効果的に回避することができる。
【０１３３】
さらに配管部材１０ｋにおいては、制流リブ２８０ｋの上流にさらに補助リブ２９０が突設されているため、一方の排水導入口１６０ｋから他方の排水導入口１６０ｋに向かう排水流を、上流側で補助リブ２９０によって予め補助的に規制し、その後さらに制流リブ２８０ｋで規制するため、一方の排水導入口１６０ｋから管本体部１２０に流入した排水が、他方の排水導入口１６０ｋから横枝管１８０に進入することをより効果的に回避することができる。
また、補助リブ２９０は、平面視において、排水導入口１６０ｋの端縁１６１ｋ及び中心軸Ｐを結ぶ直線と、補助リブ２９０の張出し面２９２の内壁面側の基端２９３及び中心軸Ｐを結ぶ直線とのなす角度が、９０度以下となるように形成されているため、制流リブ２８０ｋと補助リブ２９０とそれぞれを効率よく機能させることができ、一方の排水導入口１６０ｋから管本体部１２０に流入した排水が、他方の排水導入口１６０ｋから横枝管１８０に進入することをより効果的に回避することができる。
さらに、補助リブ２９０は、制流面２９１と張出し面２９２とが平面視において対向する断面矩形状であるため、管本体部軸方向上方からの通流との干渉を抑えつつ、一方の排水導入口１６０ｋから管本体部１２０に流入した排水が、他方の排水導入口１６０ｋから横枝管１８０に進入することをより効果的に回避することができる。
【０１３４】
本発明の配管部材１０を用いた配管システムＸにおいては、水まわり器具Ａ等から横枝管１８０を介して通流する排水を集合させ、上下方向に配設された排水縦管２００へ通流させる。その際、一方の横枝管１８０から導入された排水が、対向する他方の横枝管１８０へ飛び込むことを防止し、または排水の飛び込み量を大幅に減少させることができる。また、配管部材１０の内壁１２４面に突設された旋回羽根２２０が、下向きに通流する集合排水を旋回させることにより、排水縦管２００の中央部に通気用の空間が形成される。これにより、排水縦管２００内の圧力変動を抑制し、排水性能の低下を防止することができる。
【０１３５】
［第１，第２，第３実施形態及び他の例における各部と請求項の各構成要素との対応関係］
本発明において配管部材１０，１０ａ，〜，１０ｋが「配管部材」に相当し、管本体部１２０が「管本体部」に相当し、継手管部１４０，１４０ｂ，〜１４０ｋが「継手管部」に相当し、排水導入口１６０，１６０ｂ，〜，１６０ｋが「排水導入口」に相当し、端縁１６１，１６１ｂ，〜，１６１ｋ，１６２，１６２ｂ，〜，１６２ｋが「排水導入口の端縁」に相当し、横枝管１８０が「横枝管」に相当し、排水縦管２００が「排水縦管」に相当し、横枝管接続部２４０が「横枝管接続部」に相当し、開口端２４１，２４１ｂが「継手管部の開口端」に相当し、傾斜面２６０，２６０ｂが「傾斜面」に相当し、制流リブ２８０ａ，〜，２８０ｋが「制流リブ」に相当し、制流面２８１ａ，〜，２８１ｋが「制流面」に相当し、張出し面２８２ａ，〜，２８２ｋが「張出し面」に相当し、基端２８３ｃ，〜，２８３ｋが「張出し面の前記内壁側の基端」に相当し、基端２８４ｅ，〜，２８４ｋが「制流面の内壁側の基端」に相当し、交差稜２８５ｅ，〜，２８５ｈ，２８５ｋが「交差稜」に相当し、補助リブ２９０が「補助リブ」に相当し、補助制流面２９１が「補助制流面」に相当し、張出し面２９２が「張出し面」に相当し、基端２９３が「張出し面の前記内壁面側の基端」に相当し、直線Ｌ１が「一対の排水導入口の開口中心同士を結ぶ直線」に相当し、直線Ｌ２が「継手管部の開口端の径方向に垂直な直線」に相当し、中心軸Ｐが「管本体部の中心軸」に相当し、配管システムＸが「配管システム」に相当する。
【０１３６】
本発明の好ましい実施形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【０１３７】
１０，１０ａ，〜，１０ｋ  配管部材
１２０  管本体部
１４０，１４０ｂ，〜１４０ｋ  継手管部
１６０，１６０ｂ，〜，１６０ｋ  排水導入口
１６１，１６１ｂ，〜，１６１ｋ，１６２，１６２ｂ，〜，１６２ｋ  排水導入口端縁
１８０，１８０Ｌ，１８０Ｒ  横枝管
２００  排水縦管
２２０  旋回羽根
２４０，２４０Ｌ，２４０Ｒ  横枝管接続部
２４１，２４１ｂ  開口端
２６０，２６０ｂ  傾斜面
２８０ａ，〜，２８０ｋ  制流リブ
２８１ａ，〜，２８１ｋ  制流面
２８２ａ，〜，２８２ｋ  張出し面
２８３ｂ，〜，２８３ｋ  面基端
２８４ｅ，〜，２８４ｋ  制流面基端
２８５ｅ，〜，２８５ｈ，２８５ｋ  交差稜
２９０  補助リブ
２９１  補助制流面
２９２  張出し面
２９３  基端
３００  流路
Ａ  水まわり器具
Ｐ  管本体部中心軸
Ｗ  排水
Ｘ  配管システム
【図１】
2014080849.tif 000004
【図２】
2014080849.tif 000005
【図３】
2014080849.tif 000006
【図４】
2014080849.tif 000007
【図５】
2014080849.tif 000008
【図６】
2014080849.tif 000009
【図７】
2014080849.tif 000010
【図８】
2014080849.tif 000011
【図９】
2014080849.tif 000012
【図１０】
2014080849.tif 000013
【図１１】
2014080849.tif 000014
【図１２】
2014080849.tif 000015
【図１３】
2014080849.tif 000016
【図１４】
2014080849.tif 000017
【図１５】
2014080849.tif 000018
【図１６】
2014080849.tif 000019
【図１７】
2014080849.tif 000020